(57)【要約】【課題】パチンコ店等の遊技場において設置スペースが確実に得られ、かつ遊技する人のタバコの煙を確実に取り込んで浄化することのできる空気浄化機を提供することを目的とする。【解決手段】空気浄化機１は、下方部に空気吸い込み口４を形成し、空気吸い込み口の内側に空気中の塵埃を除去する吸着フィルタ５を配設し、吸着フィルタの後段には酸化チタン等の光触媒を担持させた光触媒担持体及び該光触媒担持体の光触媒を励起する紫外線ランプとからなる殺菌部６を配設する。吸い込み口から吸い込む空気を吸着フィルタと殺菌部を通過させて上方部に形成した空気吐き出し口１０より浄化空気を排気する。【選択図】図１
0003105428.tif 000002
【実用新案登録請求の範囲】
【請求項１】
複数台並設されるパチンコ台等の遊技台間の間隙に空気浄化機を配置したことを特徴とする空気浄化装置。
【請求項２】
空気浄化機は、下方部に空気吸い込み口を形成し、該空気吸い込み口の内側に空気中の塵埃を除去する吸着フィルタを配設し、さらに該吸着フィルタの後段には酸化チタン等の光触媒を担持させた光触媒担持体及び該光触媒担持体の光触媒を励起する紫外線ランプとからなる殺菌部を配設してなり、前記空気吸い込み口から吸い込む空気を前記吸着フィルタと殺菌部を通過させて上方部に形成した空気吐き出し口より浄化空気を排気することを特徴とする請求項１記載の空気浄化装置。
【請求項３】
浄化した空気にマイナスイオンを混入させるマイナスイオン発生手段を備えることを特徴とする請求項１記載の空気浄化装置。
【請求項４】
空気浄化機には空気を吸い込み浄化空気を排気する送風部材を備えてなることを特徴とする請求項１記載の空気浄化装置。
【考案の詳細な説明】
【技術分野】
【０００１】
本考案は、空気の浄化・脱臭・殺菌を行う空気浄化機に関し、特にパチンコ店等の遊技場におけるタバコ臭及びタバコ煙を効率良く処理することができる空気浄化機に関するものである。
【背景技術】
【０００２】
パチンコ店等の遊技場にあっては、遊技する人が長時間遊戯する間に喫煙することが多いことから、室内には常にタバコ臭及びタバコ煙が充満しており、このタバコの煙はタバコを吸わない人のみならず、タバコを吸う人にあっても健康面・環境面からも好ましいものではないことから、遊技場は常々空気を浄化することが求められている。
【０００３】
そこで、室内の天井等にダクトを配設して、ここから室内の空気を取り込んで別途に設置されている空気浄化装置を用いて集中的に空気浄化を行うことは通常行われている。しかし、この集中方式の空気浄化にあっては、かなり強力な装置を用いたとしても、喫煙者が吸うタバコの煙が天井等の空気取り入れ口に到達するまでの間、タバコの煙がかなりの時間浮遊するため、室内空間が広い場所ほど空気浄化効果が低くなるものであった。
【０００４】
そこで、遊技台の上部に１台ごとにコンパクトな空気浄化機を配置することが案出され、これによれば遊技台前に着座している遊技する人が喫煙して生じるタバコの煙は、遊技台上部の空気浄化機にすぐに取り込まれて消臭・浄化され、その結果清浄空気が吹き出されるというものである。
【特許文献１】特開平１０−１６５６２４号公報
【考案の開示】
【考案が解決しようとする課題】
【０００５】
しかしながら、上述した遊技台１台ごとに設置されたコンパクトな空気浄化機であっても、遊技する人に対するタバコの煙の影響を皆無にすることはできないものである。すなわち、遊技する人が手に持つタバコは多くは遊技台の下部に配置された灰皿に位置しており、この灰皿の場所から立ち上るタバコの煙は遊技台上部の空気浄化機に吸い込まれる間に遊技する人や隣の人に副流煙として影響を及ぼすものであった。この副流煙は、喫煙者直接吸っている主流煙よりも有害物質が多く刺激臭を伴うアルカリ性であり、これこそ煙発生直後に浄化する必要があるものである。また、遊技台の上部には必ずしも空気浄化機を設置するスペースがあるとは限らなかった。そこで、本考案にあっては、パチンコ店等の遊技場において設置スペースが確実に得られ、かつ遊技する人のタバコの煙を確実に取り込んで浄化することのできる空気浄化機を提供することが目的である。
【課題を解決するための手段】
【０００６】
本考案は、複数台並設されるパチンコ台等の遊技台間の間隙に空気浄化機を配置したことを特徴とするものである。
【０００７】
また、空気浄化機は、下方部に空気吸い込み口を形成し、該空気吸い込み口の内側に空気中の塵埃を除去する吸着フィルタを配設し、さらに該吸着フィルタの後段には酸化チタン等の光触媒を担持させた光触媒担持体及び該光触媒担持体の光触媒を励起する紫外線ランプとからなる殺菌部を配設してなり、前記空気吸い込み口から吸い込む空気を前記吸着フィルタと殺菌部を通過させて上方部に形成した空気吐き出し口より浄化空気を排気することを特徴とするものである。
【０００８】
また、浄化した空気にマイナスイオンを混入させるマイナスイオン発生手段を備えることを特徴とするものである。
【０００９】
また、空気浄化機には空気を吸い込み浄化空気を排気する送風部材を備えてなることを特徴とするものである。
【考案の効果】
【００１０】
本考案の空気浄化装置は、複数台並設されるパチンコ台等の遊技台間の間隙に空気浄化機を配置することで、喫煙者が吸うタバコに最も近い場所で、かつ狭小な空間で効率よくタバコの煙を取り込んで空気を浄化し、その浄化空気を遊技台の近傍に吹き出すことができるので遊技者にとって好適である。
【００１１】
また、空気浄化機は、下方部に空気吸い込み口を形成し、該空気吸い込み口の内側に空気中の塵埃を除去する吸着フィルタを配設し、さらに該吸着フィルタの後段には酸化チタン等の光触媒を担持させた光触媒担持体及び該光触媒担持体の光触媒を励起する紫外線ランプとからなる殺菌部を配設してなり、前記空気吸い込み口から吸い込む空気を前記吸着フィルタと殺菌部を通過させて上方部に形成した空気吐き出し口より浄化空気を排気することで、遊技台の競技者が吸うタバコからの煙、特により有害な副流煙を僅か数十ｃｍの距離で吸い込んでタバコ臭やタバコ煙を周りに影響を及ぼすことなく取り込んで清浄化するものである。
【００１２】
また、浄化した空気にマイナスイオンを混入させるマイナスイオン発生手段を備えることで、脱臭効果、人体の酸化を防ぐ健康的な効果等が得られるものである。
【００１３】
また、空気浄化機には空気を吸い込み浄化空気を排気する送風部材を備えることで、短時間に多くの空気を浄化することができるものである。
【考案を実施するための最良の形態】
【００１４】
図１は、本考案の空気浄化機１の構造を示しており、この空気浄化機１は、並設するパチンコ遊技台の台間に設置されているパチンコ玉貸出装置と同様に、パチンコ遊技台間の狭小な空間に設置される幅５０ｍｍ、高さ８００ｍｍ、奥行き１７０ｍｍの薄い箱型構造からなるものである。
【００１５】
２は、空気浄化機１のシャーシであり、前面には着脱する際の手掛かりとなる把手部材３を上下２個所に設けている。４は空気浄化機１の前面パネル下部に設けられた空気吸い込み口で、適宜なネット部材等で開口部を覆っている。５は、空気吸い込み口４から取り入れた空気を始めに通過させて塵埃を取り除く多機能な吸着フィルタである。６は、この多機能フィルタ５を通過した空気が通過する空気流路に設置される殺菌部であり、空気流路の両面には酸化チタン等の光触媒が担持された光触媒シート７と、この空気流路中に左右一対配設され光触媒シート７に紫外線を照射して光触媒を励起する紫外線ランプ８とから構成されている。９は、殺菌部６を通過した空気を空気吹き出し口１０から排出するための送風部材で、１１は、この送風部材９隣接して配置されたマイナスイオン発生装置であり、清浄化された空気と一緒に、脱臭効果、人体の酸化を防ぐ健康的な効果等が得られるマイナスイオンを室内に送り出すものである。１２は、空気浄化機１の上下及び背面を取り囲むコ字形状の取付枠体、１３は空気浄化機１の右側面を被蓋するサイドパネルである。
【００１６】
前記殺菌部６は、紫外線ランプ８が常時点灯して光触媒シート７に紫外線を照射することで酸化チタン等の光触媒が励起され、これに触れる空気を好適に殺菌することができる。
【００１７】
図２は、本考案の空気浄化機１の回路構成を表しており、パチンコ遊技台を取り付ける構造体であるシマから供給される交流２４Ｖを電源とし、回路基板２１でこの交流２４Ｖを直流１２Ｖに変換するとともに、作動表示ランプ２２、前記送風部材９、紫外線ランプ８のインバータ回路２３、マイナスイオン発生装置１１に電源を供給し制御している。前記マイナスイオン発生装置１１は、タイマーＩＣを利用した発振回路で圧電トランスを駆動して得た高電圧を整流し、負極性の高電圧を針状電極に印加して放電させることでマイナスイオンを発生させるもので、極めてコンパクトな構造である。
【図面の簡単な説明】
【００１８】
【図１】本発明の空気浄化機を示す分解斜視図である。
【図２】本発明の空気浄化機を示す構成図である。
【符号の説明】
【００１９】
１  空気浄化機
２  シャーシ
３  把手部材
４  空気吸い込み口
５  吸着フィルタ
６  殺菌部
７  光触媒シート
８  紫外線ランプ
９  送風部材
１０  空気吹き出し口
１１  マイナスイオン発生装置
２１  回路基板
【図１】
0003105428.tif 000003
【図２】
0003105428.tif 000004
【手続補正書】
【提出日】平成16年7月6日(2004.7.6)
【手続補正１】
【補正対象書類名】実用新案登録請求の範囲
【補正対象項目名】全文
【補正方法】変更
【補正の内容】
【実用新案登録請求の範囲】
【請求項１】
複数台並設されるパチンコ台等の遊技台間の間隙に配置される空気浄化機であって、下方部に空気吸い込み口を形成し、該空気吸い込み口の内側に空気中の塵埃を除去する吸着フィルタを配設し、さらに該吸着フィルタの後段には酸化チタン等の光触媒を担持させた光触媒担持体及び該光触媒担持体の光触媒を励起する紫外線ランプとからなる殺菌部を配設してなり、前記空気吸い込み口から吸い込む空気を前記吸着フィルタと殺菌部を通過させて上方部に形成した空気吐き出し口より浄化空気を排気することを特徴とする空気浄化機。
【請求項２】
浄化した空気にマイナスイオンを混入させるマイナスイオン発生手段を備えることを特徴とする請求項１記載の空気浄化機。
【請求項３】
空気を吸い込み浄化空気を排気する送風部材を備えてなることを特徴とする請求項１記載の空気浄化機。
【手続補正２】
【補正対象書類名】明細書
【補正対象項目名】全文
【補正方法】変更
【補正の内容】
【考案の詳細な説明】
【技術分野】
【０００１】
本考案は、空気の浄化・脱臭・殺菌を行う空気浄化機に関し、特にパチンコ店等の遊技場におけるタバコ臭及びタバコ煙を効率良く処理することができる空気浄化機に関するものである。
【背景技術】
【０００２】
パチンコ店等の遊技場にあっては、遊技する人が長時間遊戯する間に喫煙することが多いことから、室内には常にタバコ臭及びタバコ煙が充満しており、このタバコの煙はタバコを吸わない人のみならず、タバコを吸う人にあっても健康面・環境面からも好ましいものではないことから、遊技場は常々空気を浄化することが求められている。
【０００３】
そこで、室内の天井等にダクトを配設して、ここから室内の空気を取り込んで別途に設置されている空気浄化装置を用いて集中的に空気浄化を行うことは通常行われている。しかし、この集中方式の空気浄化にあっては、かなり強力な装置を用いたとしても、喫煙者が吸うタバコの煙が天井等の空気取り入れ口に到達するまでの間、タバコの煙がかなりの時間浮遊するため、室内空間が広い場所ほど空気浄化効果が低くなるものであった。
【０００４】
そこで、遊技台の上部に１台ごとにコンパクトな空気浄化機を配置することが案出され、これによれば遊技台前に着座している遊技する人が喫煙して生じるタバコの煙は、遊技台上部の空気浄化機にすぐに取り込まれて消臭・浄化され、その結果清浄空気が吹き出されるというものである。
【特許文献１】特開平１０−１６５６２４号公報
【考案の開示】
【考案が解決しようとする課題】
【０００５】
しかしながら、上述した遊技台１台ごとに設置されたコンパクトな空気浄化機であっても、遊技する人に対するタバコの煙の影響を皆無にすることはできないものである。すなわち、遊技する人が手に持つタバコは多くは遊技台の下部に配置された灰皿に位置しており、この灰皿の場所から立ち上るタバコの煙は遊技台上部の空気浄化機に吸い込まれる間に遊技する人や隣の人に副流煙として影響を及ぼすものであった。この副流煙は、喫煙者直接吸っている主流煙よりも有害物質が多く刺激臭を伴うアルカリ性であり、これこそ煙発生直後に浄化する必要があるものである。また、遊技台の上部には必ずしも空気浄化機を設置するスペースがあるとは限らなかった。そこで、本考案にあっては、パチンコ店等の遊技場において設置スペースが確実に得られ、かつ遊技する人のタバコの煙を確実に取り込んで浄化することのできる空気浄化機を提供することが目的である。
【課題を解決するための手段】
【０００６】
本考案は、複数台並設されるパチンコ台等の遊技台間の間隙に配置される空気浄化機であって、下方部に空気吸い込み口を形成し、該空気吸い込み口の内側に空気中の塵埃を除去する吸着フィルタを配設し、さらに該吸着フィルタの後段には酸化チタン等の光触媒を担持させた光触媒担持体及び該光触媒担持体の光触媒を励起する紫外線ランプとからなる殺菌部を配設してなり、前記空気吸い込み口から吸い込む空気を前記吸着フィルタと殺菌部を通過させて上方部に形成した空気吐き出し口より浄化空気を排気することを特徴とするものである。
【０００７】
また、浄化した空気にマイナスイオンを混入させるマイナスイオン発生手段を備えることを特徴とするものである。
【０００８】
また、空気を吸い込み浄化空気を排気する送風部材を備えてなることを特徴とするものである。
【考案の効果】
【０００９】
本考案の空気浄化装置は、複数台並設されるパチンコ台等の遊技台間の間隙に空気浄化機を配置することで、喫煙者が吸うタバコに最も近い場所で、かつ狭小な空間で効率よくタバコの煙を取り込んで空気を浄化し、その浄化空気を遊技台の近傍に吹き出すことができるので遊技者にとって好適である。
【００１０】
また、空気浄化機は、下方部に空気吸い込み口を形成し、該空気吸い込み口の内側に空気中の塵埃を除去する吸着フィルタを配設し、さらに該吸着フィルタの後段には酸化チタン等の光触媒を担持させた光触媒担持体及び該光触媒担持体の光触媒を励起する紫外線ランプとからなる殺菌部を配設してなり、前記空気吸い込み口から吸い込む空気を前記吸着フィルタと殺菌部を通過させて上方部に形成した空気吐き出し口より浄化空気を排気することで、遊技台の競技者が吸うタバコからの煙、特により有害な副流煙を僅か数十ｃｍの距離で吸い込んでタバコ臭やタバコ煙を周りに影響を及ぼすことなく取り込んで清浄化するものである。
【００１１】
また、浄化した空気にマイナスイオンを混入させるマイナスイオン発生手段を備えることで、脱臭効果、人体の酸化を防ぐ健康的な効果等が得られるものである。
【００１２】
また、空気浄化機には空気を吸い込み浄化空気を排気する送風部材を備えることで、短時間に多くの空気を浄化することができるものである。
【考案を実施するための最良の形態】
【００１３】
図１は、本考案の空気浄化機１の構造を示しており、この空気浄化機１は、並設するパチンコ遊技台の台間に設置されているパチンコ玉貸出装置と同様に、パチンコ遊技台間の狭小な空間に設置される幅５０ｍｍ、高さ８００ｍｍ、奥行き１７０ｍｍの薄い箱型構造からなるものである。
【００１４】
２は、空気浄化機１のシャーシであり、前面には着脱する際の手掛かりとなる把手部材３を上下２個所に設けている。４は空気浄化機１の前面パネル下部に設けられた空気吸い込み口で、適宜なネット部材等で開口部を覆っている。５は、空気吸い込み口４から取り入れた空気を始めに通過させて塵埃を取り除く多機能な吸着フィルタである。６は、この多機能フィルタ５を通過した空気が通過する空気流路に設置される殺菌部であり、空気流路の両面には酸化チタン等の光触媒が担持された光触媒シート７と、この空気流路中に左右一対配設され光触媒シート７に紫外線を照射して光触媒を励起する紫外線ランプ８とから構成されている。９は、殺菌部６を通過した空気を空気吹き出し口１０から排出するための送風部材で、１１は、この送風部材９隣接して配置されたマイナスイオン発生装置であり、清浄化された空気と一緒に、脱臭効果、人体の酸化を防ぐ健康的な効果等が得られるマイナスイオンを室内に送り出すものである。１２は、空気浄化機１の上下及び背面を取り囲むコ字形状の取付枠体、１３は空気浄化機１の右側面を被蓋するサイドパネルである。
【００１５】
前記殺菌部６は、紫外線ランプ８が常時点灯して光触媒シート７に紫外線を照射することで酸化チタン等の光触媒が励起され、これに触れる空気を好適に殺菌することができる。
【００１６】
図２は、本考案の空気浄化機１の回路構成を表しており、パチンコ遊技台を取り付ける構造体であるシマから供給される交流２４Ｖを電源とし、回路基板２１でこの交流２４Ｖを直流１２Ｖに変換するとともに、作動表示ランプ２２、前記送風部材９、紫外線ランプ８のインバータ回路２３、マイナスイオン発生装置１１に電源を供給し制御している。前記マイナスイオン発生装置１１は、タイマーＩＣを利用した発振回路で圧電トランスを駆動して得た高電圧を整流し、負極性の高電圧を針状電極に印加して放電させることでマイナスイオンを発生させるもので、極めてコンパクトな構造である。
【図面の簡単な説明】
【００１７】
【図１】本発明の空気浄化機を示す分解斜視図である。
【図２】本発明の空気浄化機を示す構成図である。
【符号の説明】
【００１８】
１  空気浄化機
２  シャーシ
３  把手部材
４  空気吸い込み口
５  吸着フィルタ
６  殺菌部
７  光触媒シート
８  紫外線ランプ
９  送風部材
１０  空気吹き出し口
１１  マイナスイオン発生装置
２１  回路基板